(57)【要約】【課題】キーワード、文章を入力し、絞り込みキーワードにより効率的に目的のホームページを検索する。【解決手段】ユーザ端末１０は、ネットワーク３０を介し文書検索装置２０の検索用ホームページを受信し、表示し、ユーザに指定されたキーワード、文章を含む検索用ホームページをネットワーク３０を介し文書検索装置２０に送信する。文書検索装置２０は、ユーザに指定されたキーワード、文章に基づいてキーワードを生成し、対象ホームページを検索し、キーワードが含まれるホームページをすべて抽出し、それに含まれるキーワードごとの出現頻度を算出し、出現頻度が一定値以下のキーワードを絞り込みキーワードとして含む検索結果ホームページを生成し、ユーザ端末１０に送信する。ユーザ端末１０は、検索結果ホームページを表示し、査定された絞り込みキーワードにより再度検索を行う。【選択図】　　　図１
2004054619.tif 000002
【特許請求の範囲】
【請求項１】
ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置を有することを特徴とする文書検索システム。
【請求項２】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置を有することを特徴とする文書検索システム。
【請求項３】
ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末を有することを特徴とする文書検索システム。
【請求項４】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置と、
前記文書検索装置から前記ネットワークを介し検索用ホームページ表示要求を送信し、前記文書検索装置から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末とを有することを特徴とする文書検索システム。
【請求項５】
ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順を含むことを特徴とする文書検索方法。
【請求項６】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順を含むことを特徴とする文書検索方法。
【請求項７】
ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順を含むことを特徴とする文書検索方法。
【請求項８】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順と、
前記文書検索手順から前記ネットワークを介し検索用ホームページ表示要求を送信し、前記文書検索手順から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順とを含むことを特徴とする文書検索方法。
【請求項９】
ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順をコンピュータに実行させることを特徴とする文書検索プログラム。
【請求項１０】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順をコンピュータに実行させることを特徴とする文書検索プログラム。
【請求項１１】
ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順をコンピュータに実行させることを特徴とする文書検索プログラム。
【請求項１２】
ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順と、
前記文書検索手順から前記ネットワークを介し検索用ホームページ表示要求を送信し、前記文書検索手順から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順とをコンピュータに実行させることを特徴とする文書検索プログラム。
【発明の詳細な説明】
【０００１】
【発明の属する技術分野】
本発明は、文書検索システム、文書検索方法、および、文書検索プログラムに関し、特に、キーワードの出現頻度を利用する文書検索システム、文書検索方法、および、文書検索プログラムに関する。
【０００２】
【従来の技術】
コンピュータの普及に伴い、初心者が増えサポートに多大なる労力が必要となってきた。そのため、サポート用にホームページを整備しても、「何がわからないのかわからない」「検索すべきキーワードがわからない」といったジレンマや、「キーワード間違い」などの問題から以前からある自由文検索だけでは問題解決にあたっての、効果的な検索が出来ずに回答がかかれているホームページまでたどり着けない人が多数いることがわかってきた。
【０００３】
また、「特開平１０−３２０４０２号公報」記載の技術は、「文書データベースから特定の文書を検索するための検索式を作成する装置であって、前記文書データベースにおける指定文書群から形態素解析によって複数のキーワードを抽出するとともに抽出した個々のキーワードが文書中に含まれるか否かを表す判別情報、当該文書が必要文書か不要文書かを表す指定情報または非指定文書であることを表す情報を各文書の識別情報と共に集合させた文書集合を生成するキーワード抽出部と、抽出した個々のキーワードが出現する文書数、出現しない文書数、及び前記指定文書数と全文書数との相対関係に基づくキーワードの重要度関数を設定し、当該関数値が例えば最大となる単一のキーワードを検索キーワードとして決定するとともに、決定した検索キーワードを用いて一つの文書集合を複数の文書集合に分割する文書集合分割部と、前記文書集合の分割の際に用いた検索キーワードを論理式で結合して前記検索式を作成する検索式作成部と」から構成されてる。
【０００４】
【発明が解決しようとする課題】
上述した「特開平１０−３２０４０２号公報」記載の技術の問題点は、検索候補の絞り込みが効率的でないことである。
【０００５】
その理由は、キーワードの出現頻度を利用しているが、ユーザに対して絞り込んだ複数のキーワードから適当なキーワードを選択するようになっていないからである。
【０００６】
本発明の目的は、出現頻度の低い複数のキーワードをユーザに提示し、その中からユーザが選択したキーワードに基づいて絞り込み検索を効率的に実施することである。
【０００７】
【課題を解決するための手段】
本発明の第１の文書検索システムは、ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置を有することを特徴とする。
【０００８】
本発明の第２の文書検索システムは、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置を有することを特徴とする。
【０００９】
本発明の第３の文書検索システムは、ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末を有することを特徴とする。
【００１０】
本発明の第４の文書検索システムは、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索装置と、前記文書検索装置から前記ネットワークを介し検索用ホームページ表示要求を送信し、前記文書検索装置から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末とを有することを特徴とする。
【００１１】
本発明の第１の文書検索方法は、ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順を含むことを特徴とする。
【００１２】
本発明の第２の文書検索方法は、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順を含むことを特徴とする。
【００１３】
本発明の第３の文書検索方法は、ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順を含むことを特徴とする。
【００１４】
本発明の第４の文書検索方法は、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順と、前記文書検索手順から前記ネットワークを介し検索用ホームページ表示要求を送信し、前記文書検索手順から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順とを含むことを特徴とする。
【００１５】
本発明の第１の文書検索プログラムは、ネットワークを介し検索用ホームページ表示要求を受信すると、検索用ホームページを送信し、文章が入力された検索用ホームページを受信すると、文章を形態素解析し、キーワードを生成し、キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順をコンピュータに実行させることを特徴とする。
【００１６】
本発明の第２の文書検索プログラムは、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順をコンピュータに実行させることを特徴とする。
【００１７】
本発明の第３の文書検索プログラムは、ネットワークを介し検索用ホームページ表示要求を送信し、前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順をコンピュータに実行させることを特徴とする。
【００１８】
本発明の第４の文書検索プログラムは、ネットワークを介し検索用ホームページ表示要求を受信すると、検索用ホームページを送信し、文章が入力された検索用ホームページを受信すると、文章を形態素解析し、第１キーワードを生成し、第１キーワードに基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信し、選択された出現頻度が一定値以下のキーワードを含む検索結果ホームページを前記ネットワークを介し受信すると、前記第１キーワード、および、選択された出現頻度が一定値以下のキーワードの論理積に基づいて対象ホームページを検索し、キーワードが存在するホームページを特定し、特定したホームページを形態素解析しキーワードを抽出し、出現頻度が一定値以下のキーワードを含み選択させる検索結果ホームページを生成し、前記ネットワークを介して送信する文書検索手順と、前記文書検索手順から前記ネットワークを介し検索用ホームページ表示要求を送信し、前記文書検索手順から前記ネットワークを介し検索用ホームページを受信すると、検索用ホームページを表示し、文章の入力を受け付け、文章が入力された検索用ホームページを前記ネットワークを介し送信し、前記ネットワークを介し出現頻度が一定値以下のキーワードを含み選択させる検索結果ホームページを受信し、出現頻度が一定値以下のキーワードの選択を受け付け、選択された出現頻度が一定値以下のキーワードを含む検索結果ホームページを前記ネットワークを介し送信する１以上のユーザ端末手順とをコンピュータに実行させることを特徴とする。
【００１９】
【発明の実施の形態】
次に、本発明の第１の実施の形態について図面を参照して詳細に説明する。
【００２０】
図１は、本発明の第１の実施の形態の構成を示すブロック図である。
【００２１】
図１を参照すると、本発明の第１の実施の形態は、コンピュータで構成される１以上のユーザ端末１０と、コンピュータで構成される文書検索装置２０と、ユーザ端末１０、および文書検索装置２０を接続するインターネット等のネットワーク３０とから構成される。
【００２２】
図２は、文書検索装置２０の構成を示すブロック図である。
【００２３】
図２を参照すると、文書検索装置２０は、ネットワーク３０を介してユーザ端末１０と通信する機能を持つ通信部２１０と、文書検索装置２０の制御を実施する制御部２１１と、文の形態素解析を実施する形態素解析部２１２と、キーワードを検出するキーワード生成部２１３と、インデックス部２１５、データ部２１６を検査クスする検索部２１４と、インデックス部２１５と、データ部２１６と、キーワードの出現頻度を算出する頻度算出部２１７とから構成される。
【００２４】
データ部２１６は、記憶装置等で構成され、検索対象のホームページ（ＨＴＭＬ型式）のファイルを格納し、インデックス部２１５は、キーワードと、そのキーワードを含むホームページのファイル名との対であるインデックスデータを含む。検索対象のホームページは、事前にデータ部２１６に格納され、また、インデックスデータも、事前に作成されインデックス部２１５に格納される。
【００２５】
次に、本発明の第１の実施の形態の動作について図面を参照して詳細に説明する。
【００２６】
図３は、本発明の第１の実施の形態の動作を示すフローチャートである。
【００２７】
図４は、本発明の第１の実施の形態の動作を示すフローチャートである。
【００２８】
図５は、検索用ホームページの内容を示す説明図である。
【００２９】
図６は、検索結果ホームページの内容を示す説明図である。
【００３０】
図７は、絞り込みされた検索結果ホームページの内容を示す説明図である。
【００３１】
図８は、検索されたホームページの内容を示す説明図である。
【００３２】
図３を参照すると、ユーザ端末１０が、ユーザの指示により、ブラウザを起動し、ＵＲＬを指定して、検索用ホームページ表示要求を受け取ると、ユーザ端末１０は、ネットワーク３０を介し文書検索装置２０に検索用ホームページ表示要求を送信する（図３ステップＡ１）。
【００３３】
文書検索装置２０の通信部２１０は、ネットワーク３０を介しユーザ端末１０から検索用ホームページ表示要求を受信すると（図３ステップＢ１）、制御部２１１に検索用ホームページ表示要求を転送する。制御部２１１は、検索用ホームページ表示要求を受け取ると、データ部２１６から検索用ホームページを読み出し通信部２１０に転送する。通信部２１０は、検索用ホームページを受け取るとネットワーク３０を介し要求元のユーザ端末１０に送信する（図３ステップＢ２）。
【００３４】
ユーザ端末１０は、ネットワーク３０を介し文書検索装置２０から検索用ホームページを受信すると（図３ステップＡ２）、検索用ホームページをディスプレイ等に表示する（図３ステップＡ３）。図５を参照すると、検索用ホームページは、質問を文章、またはキーワードで文書入力欄に入力する型式となっている。ユーザが、たとえば、キーワード「インターネット」（簡単のためにキーワードとする）と入力すると、ユーザ端末１０は、キーワード「インターネット」を含む検索用ホームページをネットワーク３０を介し文書検索装置２０に送信する（図３ステップＡ４）。
【００３５】
文書検索装置２０の通信部２１０は、ネットワーク３０を介しユーザ端末１０からキーワード「インターネット」を含む検索用ホームページを受信すると（図３ステップＢ３）、制御部２１１にキーワード「インターネット」を含む検索用ホームページを転送する。制御部２１１は、キーワード「インターネット」を含む検索用ホームページを受け取ると、ユーザ端末１０のネットワークアドレス等からユーザ識別子を生成し、キーワード「インターネット」とともに形態素解析部２１２に転送する。形態素解析部２１２は、キーワード「インターネット」を受け取ると、キーワード「インターネット」を形態素解析し、名詞「インターネット」、ユーザ識別子をキーワード生成部２１３に転送する。文章であれば、複数の形態素、ユーザ識別子を転送する。
【００３６】
キーワード生成部２１３は、形態素、ユーザ識別子を受け取ると、文節を作成し、それらをキーワードとして生成し、内部に保存する（図４ステップＢ４）。たとえば、名詞「インターネット」を受け取ると、「インターネット」をキーワードとする。ユーザ識別子を内部に保存し、キーワード「インターネット」を決定し、検索部２１４に転送する。
【００３７】
検索部２１４は、キーワード「インターネット」を受け取ると、インデックス部２１５を検索し、キーワード「インターネット」を含むホームページのファイルを特定する（図３ステップＢ７）。次に、検索部２１４は、特定したホームページのファイルすべてをデータ部２１６から抽出し、形態素解析部２１２に転送する。また、キーワード「インターネット」を含む文章部分を抽出し、保持する。
【００３８】
形態素解析部２１２は、ホームページのファイルを受け取ると、形態素解析を実施し（図３ステップＢ８）、ファイル名、形態素をキーワード生成部２１３に転送する。キーワード生成部２１３は、ファイル名、形態素を受け取ると、文節を作成し、それらをキーワードとして生成する（図３ステップＢ９）。次に、キーワード生成部２１３は、キーワード、そのキーワードを含むホームページのファイルのファイル名との対を頻度算出部２１７へ転送する。
【００３９】
頻度算出部２１７は、キーワード、そのキーワードを含むホームページのファイルのファイル名との対を受け取ると、キーワードごとに含まれるファイルの数を算出し、キーワードごとに、キーワードの出現頻度＝（キーワードが含まれるファイルの数）／（全ファイルの数）を算出する（図３ステップＢ１０）。次に、頻度算出部２１７は、出現頻度が、「事前に設定した一定数以下」の低頻度キーワードを抽出し（図３ステップＢ１１）、制御部２１１に転送する。
【００４０】
制御部２１１は、低頻度キーワード（絞り込みキーワードとも称する）を受け取ると、低頻度キーワード、および、＜検索部２１４に保持されているキーワード「インターネット」を含む文章部分＞を含む検索結果ホームページを作成し（図３ステップＢ１２）、通信部２１０に転送する。
【００４１】
図６を参照すると、検索結果ホームページは、上部に、キーワード「インターネット」を含むホームページの文章部分を含み、下部に、絞り込み検索のためのキーワードとして、抽出された低頻度キーワードの一覧を含む。たとえば、低頻度キーワードは、「クッキー」、「アドバイザー」、・・・等である。また、部分文章の左の番号を選択すると、対応するホームページにリンクする。
【００４２】
次に、通信部２１０は、検索結果ホームページを受け取ると、ネットワーク３０を介してユーザ端末１０へ送信する（図４ステップＢ１３）。
【００４３】
ユーザ端末１０は、検索結果ホームページを受信すると（図４ステップＡ５）、検索結果ホームページをディスプレイ等に表示する（図４ステップＡ６）。
【００４４】
ユーザが、検索結果ホームページの絞り込み検索の欄の低頻度キーワードを選択すると（図４ステップＡ７／ＮＯ）、選択された低頻度キーワードを含む検索結果ホームページをネットワーク３０を介し文書検索装置２０へ送信する（図４ステップＡ８）。
【００４５】
文書検索装置２０の通信部２１０は、選択された低頻度キーワードを含む検索結果ホームページを受信すると（図４ステップＢ１４）、制御部２１１に転送する。制御部２１１は、選択された低頻度キーワードと、保存されているキーワード（インターネット等）すべてとの論理積をキーワードとし（図４ステップＢ１５）、検索部２１４に転送する。検索部２１４は、制御部２１１からのキーワードに基づいて検索を実施する（図３ステップＢ７）。
【００４６】
たとえば、低頻度キーワードとして、「クッキー」が選択された場合、「インターネット」、「クッキー」の両方を含むホームページを抽出し、図７に示す検索結果ホームページが作成され、ユーザにより、番号１が選択されると、最終的に図８に示すホームページが文書検索装置２０で抽出され、ユーザ端末１０に表示される。
【００４７】
また、ユーザが、上部の番号をクリックし、ホームページの指定を選択すると（図４ステップＡ７／ＹＥＳ）、ユーザ端末１０は、指定されたホームページの表示要求をネットワーク３０を介し文書検索装置２０へ送信する（図４ステップＡ９）。
【００４８】
文書検索装置２０の通信部２１０は、ネットワーク３０を介しユーザ端末１０から指定されたホームページの表示要求を受信すると（図４ステップＢ１６）、制御部２１１に転送する。制御部２１１は、指定されたホームページの表示要求を受け取ると、データ部２１６から指定されたホームページを抽出し（図４ステップＢ１７）、通信部２１０に転送する。通信部２１０は、指定されたホームページを受け取ると、ネットワーク３０を介しユーザ端末１０へ送信する（図４ステップＢ１８）。
【００４９】
ユーザ端末１０は、ネットワーク３０を介し文書検索装置２０から指定されたホームページを受信すると（図４ステップＡ１０）、指定されたホームページをディスプレイ等に表示する（図４ステップＡ１１）。
【００５０】
次に、本発明の第２の実施の形態について図面を参照して詳細に説明する。
【００５１】
本発明の第２の実施の形態は、図３、図４の各ステップ（手順）を含む方法である。
【００５２】
次に、本発明の第３の実施の形態について図面を参照して詳細に説明する。
【００５３】
本発明の第３の実施の形態は、図３、図４の各ステップ（手順）をコンピュータ（ユーザ端末１０、文書検索装置２０）に実行させるプログラムである。
【００５４】
【発明の効果】
本発明の第１の効果は、ユーザの使い勝手がよいことである。
【００５５】
その理由は、キーワードを見ることによって頭の中に潜在的に持っているキーワードを選択させ、検索条件を正確に提示することが可能となるそれ以外の人に関しては、キーワードを選択することによって検索の方向付けを行うことが可能となる。
【００５６】
第２効果は、少ない検索条件（キーワード）により目的の文書（ホームページ）にたどり着くことが可能なことである。
【００５７】
その理由は、出現頻度の低い複数のキーワードをユーザに提示し、その中からユーザが選択したキーワードに基づいて絞り込み検索を効率的に実施するからである。
【図面の簡単な説明】
【図１】本発明の第１の実施の形態の構成を示すブロック図である。
【図２】文書検索装置の構成を示すブロック図である。
【図３】本発明の第１の実施の形態の動作を示すフローチャートである。
【図４】本発明の第１の実施の形態の動作を示すフローチャートである。
【図５】検索用ホームページの内容を示す説明図である。
【図６】検索結果ホームページの内容を示す説明図である。
【図７】絞り込みされた検索結果ホームページの内容を示す説明図である。
【図８】検索されたホームページの内容を示す説明図である。
【符号の説明】
１０　　ユーザ端末
２０　　文書検索装置
３０　　ネットワーク
２１０　　通信部
２１１　　制御部
２１２　　形態素解析部
２１３　　キーワード生成部
２１４　　検索部
２１５　　インデックス部
２１６　　データ部
２１７　　頻度算出部
【図１】
2004054619.tif 000003
【図２】
2004054619.tif 000004
【図３】
2004054619.tif 000005
【図４】
2004054619.tif 000006
【図５】
2004054619.tif 000007
【図６】
2004054619.tif 000008
【図７】
2004054619.tif 000009
【図８】
2004054619.tif 000010